(57)【要約】【課題】無操作状態や着信の待ち受け状態の継続に伴って省電力の動作状態に移行しても、電源オフの状態と着信待ち受け状態との識別を誤る虞れを低減した携帯情報端末装置及びこの装置の発光部での発光制御方法を提供する。【解決手段】制御部１０４の制御下で、タイマー部１０３による計時時間に基づき、着信待ち受け状態の継続時間及び無操作状態の継続時間が所定の第１の時間を超過するときには発光部としてのバックライト１０７へのバッテリー１０５からの給電を断ってその発光を一旦停止させ、該発光の停止時点以降も所定の時間間隔で上記発光部への給電を一旦再開して所定の時間発光を持続させてから給電を断ってその発光を停止する動作を繰り返すことにより着信待ち受け状態であることが認識され得るようにする。【選択図】      図１
2004320107.tif 000002
【特許請求の範囲】
【請求項１】
自己の操作部に対する操作の発生を感知して該感知に相応する外部からの入力を受け付けるための入力検出部と、外部から送信されてくる情報の着信を待機する着信待ち受け状態が継続しているか当該着信があって着信待ち受け状態を脱したかを識別する待ち受け状態検出部と、前記待ち受け状態検出部における検出状態に基づいて認識される着信待ち受け状態の継続時間及び前記入力検出部における検出状態に基づいて認識される無操作状態の継続時間を計時するタイマー部と、前記待ち受け状態検出部、入力検出部、及び、タイマー部を制御対象として含み、本装置を統括的に制御する制御部と、前記制御部による制御に基づいて電源からの給電を受けて発光する発光部と、を備え、前記制御部は、前記タイマー部による計時時間に基づいて、前記着信待ち受け状態の継続時間及び無操作状態の継続時間が所定の第１の時間を超過するときには前記発光部への給電を断ってその発光を一旦停止させ、該発光の停止時点以降も所定の時間間隔で前記発光部への給電を一旦再開して所定の時間発光を持続させてから給電を断ってその発光を停止する動作を繰り返すことが可能なように構成されたことを特徴とする携帯情報端末装置。
【請求項２】
自己の操作部に対する操作の発生を感知して該感知に相応する外部からの入力を受け付けるための入力検出部と、外部から送信されてくる情報の着信を待機する着信待ち受け状態が継続しているか当該着信があって着信待ち受け状態を脱したかを識別する待ち受け状態検出部と、前記待ち受け状態検出部における検出状態に基づいて認識される着信待ち受け状態の継続時間及び前記入力検出部における検出状態に基づいて認識される無操作状態の継続時間を計時するタイマー部と、前記待ち受け状態検出部、入力検出部、及び、タイマー部を制御対象として含み、本装置を統括的に制御する制御部と、前記制御部による制御に基づいて電源からの給電を受けて発光する発光部と、を備え、前記制御部は、前記タイマー部による計時時間に基づいて、前記着信待ち受け状態の継続時間及び無操作状態の継続時間が所定の第１の時間を超過するときには前記発光部への給電を断ってその発光を第１時点で一旦停止させ、該第１時点から所定の第２の時間後の第２時点に到るまでの間前記着信待ち受け状態及び無操作状態が更に継続したときには前記発光部への給電を一旦再開して所定の第３の時間発光を持続させてから給電を断ってその発光を第３時点で一旦停止し、該第３時点以降は前記第２時点を経過してより第３時点に到るまでと同様の給電の断続による前記発光並びにその停止を制御するようになされ、且つ、前記待ち受け状態検出部における検出状態に基づいて当該着信待ち受け状態を脱したことが認識されるか、又は、前記入力検出部における検出状態に基づいて当該操作が発生したことが認識されたときには、前記発光部への給電を再開又は維持すると共に前記タイマー部での計時値をリセットするように構成されたことを特徴とする携帯情報端末装置。
【請求項３】
前記制御部は、更に、前記待ち受け状態検出部における検出状態に基づいて当該着信待ち受け状態を脱したことが認識されるか、又は、前記入力検出部における検出状態に基づいて当該操作が発生したことが認識されたときには、前記発光部への給電を再開又は維持すると共に前記タイマー部での計時値をリセットするように構成されたものであることを特徴とする請求項１に記載の携帯情報端末装置。
【請求項４】
前記発光部は、ＬＣＤを含んで構成された情報表示部における当該ＬＣＤのバックライトであることを特徴とする請求項１又は２に記載の携帯情報端末装置。
【請求項５】
前記発光部は、前記操作部を構成する操作キーを発光させるキーライトであることを特徴とする請求項１又は２に記載の携帯情報端末装置。
【請求項６】
自己の操作部に対する操作の発生を感知して該感知に相応する外部からの入力を受け付けるための入力検出部への無操作状態の継続時間、及び、外部から送信されてくる情報の着信を待機する着信待ち受け状態の継続時間が所定の第１の時間を超過するときには、本装置の所定の発光部への給電を断ってその発光を一旦停止させ、該発光の停止時点以降も所定の時間間隔で前記発光部への給電を一旦再開して所定の時間発光を持続させてから給電を断ってその発光を停止する動作を繰り返すことを特徴とする携帯情報端末装置の発光部での発光制御方法。
【請求項７】
自己の操作部に対する操作の発生を感知して該感知に相応する外部からの入力を受け付けるための入力検出部への無操作状態の継続時間、及び、外部から送信されてくる情報の着信を待機する着信待ち受け状態の継続時間が所定の第１の時間を超過するときには、本装置の所定の発光部への給電を断ってその発光を第１時点で一旦停止させ、該第１時点から所定の第２の時間後の第２時点に到るまでの間前記着信待ち受け状態及び無操作状態が更に継続したときには前記発光部への給電を一旦再開して所定の第３の時間発光を持続させてから給電を断ってその発光を第３時点で一旦停止し、該第３時点以降は前記第２時点を経過してより第３時点に到るまでと同様の給電の断続による前記発光並びにその停止を制御するようにし、且つ、当該着信待ち受け状態を脱したことが認識されるか、又は、当該操作が発生したことが認識されたときには、前記発光部への給電を再開又は維持すると共に前記継続時間の計時値をリセットすることを特徴とする携帯情報端末装置の発光部での発光制御方法。
【請求項８】
更に、当該着信待ち受け状態を脱したことが認識されるか、又は、当該操作が発生したことが認識されたときには、前記発光部への給電を再開又は維持すると共に前記継続時間の計時値をリセットすることを特徴とする請求項６に記載の携帯情報端末装置の発光部での発光制御方法。
【請求項９】
前記発光部は、ＬＣＤを含んで構成された情報表示部における当該ＬＣＤのバックライトであることを特徴とする請求項６又は７に記載の携帯情報端末装置の発光部での発光制御方法。
【請求項１０】
前記発光部は、前記操作部を構成する操作キーを発光させるキーライトであることを特徴とする請求項６又は７に記載の携帯情報端末装置の発光部での発光制御方法。
【発明の詳細な説明】
【０００１】
【発明の属する技術分野】
本発明は、例えば携帯電話機やＰＤＡのような携帯情報端末装置及びこの装置の発光部での発光制御方法に関する。
【０００２】
【従来の技術】
携帯電話機やＰＤＡ等のような携帯情報端末装置においては、使用者における視認性を高めるために、殆どの機器乃至装置で、発光を伴う情報表示部乃至操作キーが採用されつつある。
【０００３】
近年、この種の機器乃至装置に搭載される機能は増加の一途を辿っている。それに伴い消費電力も急激に増大するが、その一方では小型薄型化が叫ばれて電池パック自身の小型化も進み、他方、使用耐久時間の増長が望まれるという相反した要請に応えなくてはならないという困難な課題の解決が急務となっている。
【０００４】
側部のヒンジを軸に開閉自在な形態のこの種の携帯情報端末装置の例では、装置を開いた状態（操作可能な状態）で放置してもユーザーに電源が投入されていることを明示する見地から、ＬＣＤ表示の点灯を維持するように構成すれば無為に電力を消費し電池残量の低下を招く憂いがあるが、これを安易に消灯してしまうような構成にすると、今度は、ユーザーが電源オフの状態にあるのか着信待ち受け状態にあるのか判別できず、電源オフの状態になっているにも拘わらず着信待ち受け状態にあるものと誤認して結果的に着信を受けられない事態に陥る虞れがあるといった問題がある。このような課題に対して、一応の解答を与える技術も提案されてきている。例えば、ユーザーから何らの操作もされない状態が一定の時間継続したときにＬＣＤ表示を消灯するようなものでる。
【０００５】
一つの提案として、携帯電話機などの携帯情報端末装置において、キーボードの操作や着信など詳細な情報の表示を行わなくてはならない状況が発生した場合に限って情報表示部を全面的に点灯させた表示を行い、それ以外の状態では基地局の電波強度や電池の残量など必要不可欠な情報の表示に限定して省電力化した形態での表示を継続する一方それ以外の表示部は消灯するようにして、消費電力の低減を図った技術が既に公知である（特許文献１）。
【０００６】
また、携帯電話機で、キー入力があったときには表示部のバックライトを点灯させるが、応答待ち状態ではバックライトを消灯させ、応答待ちの状態が終了すると再び点灯することも提案されている（特許文献２）。
【０００７】
更に、待ち受け時や通話時に、キー操作や着信がない状態が予めユーザーが設定した時間を超過して継続する場合にバックライト部とＬＣＤ表示部への給電を停止してスリープモードへ移行するようにし、その後、キー操作などが行われたときにスリープモードの解除を行うようにした携帯電話機も提案されている（特許文献３）。
【０００８】
更にまた、携帯電話機のキー操作に関してその習熟度などによって異なってくる操作の時間間隔を自動的に計測して記憶しておき、暗所などでの使用の便宜のために表示部や操作部を使用中のみ点灯させておくための点灯の持続時間を上記の記憶値から割り出して自動的に設定可能にすることも提案されている（特許文献４）。
【０００９】
【特許文献１】
特開２０００−１０５５７３号公報（請求項８−１０、段落００３３−００３４）
【特許文献２】
特開２００２−２７１０１号公報（要約、図２）
【特許文献３】
特開平２００２−９４６５８号公報（要約、図３）
【特許文献４】
特開平２００２−１１１８３７号公報（要約、図１）
【００１０】
【発明が解決しようとする課題】
しかしながら、従来の技術では、総じて、ユーザーによる操作がない無操作状態や着信の待ち受け状態に至って以降の表示部や操作部の点灯状態の持続時間を種々細目に亘る条件を勘案して設定することが可能にされるものの、結局、その持続時間をも経過した場合には全面的に、乃至は、待ち受け状態にあるか否かに拠らない限定的な表示のみ残して、消灯状態に移行するという構成がとられている。このため、消灯状態に移行してしまってからは、外見上は電源オフの状態と着信待ち受け状態との識別が難しく、待ち受け状態にあるものと誤認して結果的に着信を受けられない事態に陥る可能性が大きい。
【００１１】
そこで、本発明の目的は、無操作状態や着信の待ち受け状態の継続に伴って省電力の動作状態に移行しても、電源オフの状態と着信待ち受け状態との識別を誤る虞れを低減したこの種の携帯情報端末装置及びこの装置の発光部での発光制御方法を提供することにある。
【００１２】
【課題を解決するための手段】
上述の課題を解決するため、本発明は、次のような特徴的なものである。
【００１３】
（１）自己の操作部に対する操作の発生を感知して該感知に相応する外部からの入力を受け付けるための入力検出部と、外部から送信されてくる情報の着信を待機する着信待ち受け状態が継続しているか当該着信があって着信待ち受け状態を脱したかを識別する待ち受け状態検出部と、前記待ち受け状態検出部における検出状態に基づいて認識される着信待ち受け状態の継続時間及び前記入力検出部における検出状態に基づいて認識される無操作状態の継続時間を計時するタイマー部と、前記待ち受け状態検出部、入力検出部、及び、タイマー部を制御対象として含み、本装置を統括的に制御する制御部と、前記制御部による制御に基づいて電源からの給電を受けて発光する発光部と、を備え、前記制御部は、前記タイマー部による計時時間に基づいて、前記着信待ち受け状態の継続時間及び無操作状態の継続時間が所定の第１の時間を超過するときには前記発光部への給電を断ってその発光を一旦停止させ、該発光の停止時点以降も所定の時間間隔で前記発光部への給電を一旦再開して所定の時間発光を持続させてから給電を断ってその発光を停止する動作を繰り返すことが可能なように構成された携帯情報端末装置。
【００１４】
（２）自己の操作部に対する操作の発生を感知して該感知に相応する外部からの入力を受け付けるための入力検出部と、外部から送信されてくる情報の着信を待機する着信待ち受け状態が継続しているか当該着信があって着信待ち受け状態を脱したかを識別する待ち受け状態検出部と、前記待ち受け状態検出部における検出状態に基づいて認識される着信待ち受け状態の継続時間及び前記入力検出部における検出状態に基づいて認識される無操作状態の継続時間を計時するタイマー部と、前記待ち受け状態検出部、入力検出部、及び、タイマー部を制御対象として含み、本装置を統括的に制御する制御部と、前記制御部による制御に基づいて電源からの給電を受けて発光する発光部と、を備え、前記制御部は、前記タイマー部による計時時間に基づいて、前記着信待ち受け状態の継続時間及び無操作状態の継続時間が所定の第１の時間を超過するときには前記発光部への給電を断ってその発光を第１時点で一旦停止させ、該第１時点から所定の第２の時間後の第２時点に到るまでの間前記着信待ち受け状態及び無操作状態が更に継続したときには前記発光部への給電を一旦再開して所定の第３の時間発光を持続させてから給電を断ってその発光を第３時点で一旦停止し、該第３時点以降は前記第２時点を経過してより第３時点に到るまでと同様の給電の断続による前記発光並びにその停止を制御するようになされ、且つ、前記待ち受け状態検出部における検出状態に基づいて当該着信待ち受け状態を脱したことが認識されるか、又は、前記入力検出部における検出状態に基づいて当該操作が発生したことが認識されたときには、前記発光部への給電を再開又は維持すると共に前記タイマー部での計時値をリセットするように構成された携帯情報端末装置。
【００１５】
（３）前記制御部は、更に、前記待ち受け状態検出部における検出状態に基づいて当該着信待ち受け状態を脱したことが認識されるか、又は、前記入力検出部における検出状態に基づいて当該操作が発生したことが認識されたときには、前記発光部への給電を再開又は維持すると共に前記タイマー部での計時値をリセットするように構成された上記（１）の携帯情報端末装置。
【００１６】
（４）前記発光部は、ＬＣＤを含んで構成された情報表示部における当該ＬＣＤのバックライトである上記（１）又は（２）の携帯情報端末装置。
【００１７】
（５）前記発光部は、前記操作部を構成する操作キーを発光させるキーライトである上記（１）又は（２）の携帯情報端末装置。
【００１８】
（６）自己の操作部に対する操作の発生を感知して該感知に相応する外部からの入力を受け付けるための入力検出部への無操作状態の継続時間、及び、外部から送信されてくる情報の着信を待機する着信待ち受け状態の継続時間が所定の第１の時間を超過するときには、本装置の所定の発光部への給電を断ってその発光を一旦停止させ、該発光の停止時点以降も所定の時間間隔で前記発光部への給電を一旦再開して所定の時間発光を持続させてから給電を断ってその発光を停止する動作を繰り返す携帯情報端末装置の発光部での発光制御方法。
【００１９】
（７）自己の操作部に対する操作の発生を感知して該感知に相応する外部からの入力を受け付けるための入力検出部への無操作状態の継続時間、及び、外部から送信されてくる情報の着信を待機する着信待ち受け状態の継続時間が所定の第１の時間を超過するときには、本装置の所定の発光部への給電を断ってその発光を第１時点で一旦停止させ、該第１時点から所定の第２の時間後の第２時点に到るまでの間前記着信待ち受け状態及び無操作状態が更に継続したときには前記発光部への給電を一旦再開して所定の第３の時間発光を持続させてから給電を断ってその発光を第３時点で一旦停止し、該第３時点以降は前記第２時点を経過してより第３時点に到るまでと同様の給電の断続による前記発光並びにその停止を制御するようにし、且つ、当該着信待ち受け状態を脱したことが認識されるか、又は、当該操作が発生したことが認識されたときには、前記発光部への給電を再開又は維持すると共に前記継続時間の計時値をリセットする携帯情報端末装置の発光部での発光制御方法。
【００２０】
（８）更に、当該着信待ち受け状態を脱したことが認識されるか、又は、当該操作が発生したことが認識されたときには、前記発光部への給電を再開又は維持すると共に前記継続時間の計時値をリセットする上記（６）の携帯情報端末装置の発光部での発光制御方法。
【００２１】
（９）前記発光部は、ＬＣＤを含んで構成された情報表示部における当該ＬＣＤのバックライトである上記（６）又は（７）の携帯情報端末装置の発光部での発光制御方法。
【００２２】
（１０）前記発光部は、前記操作部を構成する操作キーを発光させるキーライトである上記（６）又は（７）の携帯情報端末装置の発光部での発光制御方法。
【００２３】
【発明の実施の形態】
以下、本発明の携帯情報端末装置及びこの装置の発光部での発光制御方法の好適実施形態について詳細に説明する。
【００２４】
図１は本発明の実施形態を示すブロック図である。
【００２５】
図１において、本実施形態の携帯情報端末装置は、無線による電話通信の可能なものであり、キーボードもしくはプッシュボタン式のキーを含んで構成される自己の操作部に対する操作（その押下）の発生を感知して該感知に相応する外部からの入力を受け付けるための入力検出部としてのキー入力検出部１０１と、外部から送信されてくる情報の着信を待機する着信待ち受け状態が継続しているか当該着信があって着信待ち受け状態を脱したかを識別する待ち受け状態検出部１０２と、待ち受け状態検出部１０２における検出状態に基づいて認識される着信待ち受け状態の継続時間及び上記キー入力検出部１０１における検出状態に基づいて認識される無操作状態の継続時間を計時するタイマー部１０３と、待ち受け状態検出部１０２、キー入力検出部１０１、及び、タイマー部１０３を制御対象として含み、本装置を統括的に制御する制御部１０４と、この制御部１０４による制御に基づいて電源として適用されるバッテリー１０５からの給電を受けて発光する発光部としてのＬＣＤ１０６及びバックライト１０７と、を備えて構成される。本例では、バッテリー１０５として充電可能なものが適用される。また、ＬＣＤ１０６は文字または画像または映像を表示するためのものであり、バックライト１０７はこのＬＣＤ１０６を背後から照らす。
【００２６】
制御部１０４は、タイマー部１０３による計時時間に基づいて、着信待ち受け状態の継続時間及び無操作状態の継続時間が所定の第１の時間を超過するときには発光部としてのＬＣＤ１０６及びバックライト１０７へのバッテリー１０５からの給電を断ってその発光を一旦停止させ、該発光の停止時点以降も所定の時間間隔で上記発光部への給電を一旦再開して所定の時間発光を持続させてから給電を断ってその発光を停止する動作を繰り返すことが可能なように構成されている。
【００２７】
即ち、着信待ち受け時に、待ち受け状態検出部１０２から端末が着信待ち受け状態を検知し、且つ、キー入力検出部１０１からの割込み検知が上がらなくなると、タイマー部１０３にてカウント（計時動作）を開始する。制御部１０４では、予め決められたカウントの設定値を持ち、タイマー部１０３でのカウント値がその値になるまでにキー入力検出部１０１及び待ち受け状態検出部１０２の状態が変化しなければ、バッテリー１０５から給電されている電力を断って、ＬＣＤ１０６及びバックライト１０７を消灯する。
【００２８】
この消灯状態では、本携帯情報端末装置の主電源がオフされた状態と何ら見分けがつかない。しかしながら、制御部１０４は本状態を予め定められた時間維持すると、バックライト１０７を予め定められた時間だけ給電して点灯し、その後、電力を断って、消灯する。制御部１０４は、キー入力検出部１０１及び待ち受け状態検出部１０２の状態が変化しない限り、上述のように、バックライト１０７のオン／オフを繰り返す。
【００２９】
図２は図１の装置の動作を説明するためのフローチャートである。このフローチャートは、本発明の方法の一実施形態を表すものでもある。
【００３０】
主電源がオンにされた状態で、キー入力検出部１０１により何らかのキー操作が検出された後、待ち受け状態検出部１０２が本装置が現在着信待ち受け状態にあることを検出しており且つキー入力検出部１０１からの割込み検知が上がらずキー入力のない時間が発生したとする。
【００３１】
制御部１０４はタイマー部１０３を起動してカウント、即ち計時動作を開始する。該カウントの値が予め設定されている所定の第１の時間Ｗ１に満たないうちに待ち受け状態検出部１０２が本端末が着信したことを検出するか、または、キー入力検出部１０１がキー操作があったことを検出した場合には、バックライト１０７の点灯状態を維持しタイマー部１０３でのカウント（計時動作）をリセットして元の状態に戻る。
【００３２】
着信待ち受け状態が維持され且つキー操作に状態変化がなくこれらの状態の継続時間を表す上述のカウントの値が第１の時間Ｗ１を超過する時には、ＬＣＤ１０４及びバックライト１０７をオフする。このオフ動作を行った時点を第１時点（Ａ）と称することにする。
【００３３】
上述の第１時点（Ａ）から引き続き、待ち受け状態検出部１０２及びキー入力検出部１０１の出力を監視して、状態変化があればバックライト１０７を点灯状態に復帰させタイマー部１０３でのカウント（計時動作）をリセットして元に戻る。状態の変化がないまま、予め設定されている所定の第２の時間である時間Ｗ２が経過した第２時点に到った時には、バックライト１０７を一旦点灯し、相対的に短い所定の第３の時間Ｗ３の間点灯状態を持続させ、この時間Ｗ３の期間が満了する第３時点に至った時に一旦消灯する。
【００３４】
第３時点以降も状態変化を監視し、変化がなければ、上述の第２時点を経過してより第３時点に到るまでと同様に給電の断続による上述のバックライト１０７のオン及びオフを繰り返す。即ち、バックライト１０７への給電を一旦再開して所定の時間発光を持続させてから給電を断ってその発光を停止する動作を繰り返すように制御が行われる。
【００３５】
図３は本発明の装置の他の実施形態を示すブロック図である。
【００３６】
図３において、図１と対応する同様の部分は同一の符号をもって示し、それら各部の詳細な説明は省略する。
【００３７】
図３の装置の図１のものとの相違点は、上記操作部を構成する操作キーを背後から照らして発光させるキーライト３０７を有する点であるが、このキーライト３０７の点滅に関する制御は、制御部１０４の制御下で、図１の実施形態におけるバックライト１０７に対するものと全く同様に行われる。
【００３８】
即ち、着信待ち受け時に、待ち受け状態検出部１０２から端末が着信待ち受け状態を検知し、且つ、キー入力検出部１０１からの割込み検知が上がらなくなると、タイマー部１０３にてカウントを開始する。制御部１０４では、予め決められたカウントの設定値を持ち、タイマー部１０３でのカウント値がその値になるまでにキー入力検出部１０１及び待ち受け状態検出部１０２の状態が変化しなければ、バッテリー１０５から給電されている電力を断って、ＬＣＤ１０６及びキーライト３０７を消灯する。
【００３９】
この消灯状態では、本携帯情報端末装置の主電源がオフされた状態と何ら見分けがつかない。しかしながら、制御部１０４は本状態を予め定められた時間維持すると、キーライト３０７を予め定められた時間だけ給電して点灯し、その後、電力を断って、消灯する。制御部１０４は、キー入力検出部１０１及び待ち受け状態検出部１０２の状態が変化しない限り、上述のように、キーライト３０７のオン／オフを繰り返す。
【００４０】
また、図４は、図３の装置の動作を説明するためのフローチャートである。このフローチャートは、本発明の方法の他の実施形態を表すものでもある。
【００４１】
主電源がオンにされた状態で、キー入力検出部１０１により何らかのキー操作が検出された後、待ち受け状態検出部１０２が本装置が現在着信待ち受け状態にあることを検出しており且つキー入力検出部１０１からの割込み検知が上がらずキー入力のない時間が発生したとする。
【００４２】
制御部１０４はタイマー部１０３を起動してカウント、即ち計時動作を開始する。該カウントの値が予め設定されている所定の第１の時間Ｗ１に満たないうちに待ち受け状態検出部１０２が本端末が着信したことを検出するか、または、キー入力検出部１０１がキー操作があったことを検出した場合には、バックライト１０７の点灯状態を維持しタイマー部１０３でのカウント（計時動作）をリセットして元の状態に戻る。
【００４３】
着信待ち受け状態が維持され且つキー操作に状態変化がなくこれらの状態の継続時間である上述のカウントの値が所定の第１の時間Ｗ１を超過する時には、ＬＣＤ１０４及びキーライト３０７をオフする。このオフ動作を行った時点を第１時点（Ａ）と称することにする。
【００４４】
上述の第１時点（Ａ）から引き続き、待ち受け状態検出部１０２及びキー入力検出部１０１の出力を監視して、状態変化があればバックライト１０７を点灯状態に復帰させタイマー部１０３でのカウント（計時動作）をリセットして元に戻る。
【００４５】
状態の変化がないまま、予め設定されている所定の第２の時間である時間Ｗ２が経過した第２時点に到った時には、キーライト３０７を一旦点灯し、相対的に短い所定の第３の時間Ｗ３の間点灯状態を持続させ、この時間Ｗ３の期間が満了する第３時点に到った時に一旦消灯する。第３時点以降も状態変化を監視し、変化がなければ、上述の第２時点を経過してより第３時点に到るまでと同様の給電の断続による上述のキーライト３０７のオン及びオフを繰り返す。即ち、キーライト３０７への給電を一旦再開して所定の時間発光を持続させてから給電を断ってその発光を停止する動作を繰り返すように制御が行われる。
【００４６】
上述した実施形態によれば、バックライト１０７乃至はキーライト３０７の適当な時間間隔での間歇的な点灯により、ユーザーが故意に主電源をオフした状態なのか着信待ち受け状態にあるのかが確実に識別され得るようになり、ユーザーインターフェイスが改善される。このため、ユーザーが電源オフなのか着信待ち受け状態か判別し難く、実際には電源オフになっていたにも拘わらず着信待ち受け状態にあるものと誤認して着信を受けられなくなってしまうような事態を防ぐことができる。既述のように、着信待ち受け状態にあることを表すためのバックライト１０７乃至はキーライト３０７の間歇的な点灯における点灯持続時間は相対的に短く設定されているため、この点灯によって省電力効果が阻害される虞れは極めて少ない。
【００４７】
【発明の効果】
本発明によれば、無操作状態や着信の待ち受け状態の継続に伴って省電力の動作状態に移行しても、電源オフの状態と着信待ち受け状態との識別を誤る虞れを低減したこの種の携帯情報端末装置及びこの装置の発光部での発光制御方法が実現される。
【図面の簡単な説明】
【図１】本発明の実施形態を示すブロック図である。
【図２】図１の装置の動作を説明するためのフローチャートである。
【図３】本発明の装置の他の実施形態を示すブロック図である。
【図４】図３の装置の動作を説明するためのフローチャートである。
【符号の説明】
１０１      キー入力検出部
１０２      待ち受け状態検出部
１０３      タイマー部
１０４      制御部
１０５      バッテリー
１０６      ＬＣＤ
１０７      バックライト
３０７      キーライト
【図１】
2004320107.tif 000003
【図２】
2004320107.tif 000004
【図３】
2004320107.tif 000005
【図４】
2004320107.tif 000006